(57)【特許請求の範囲】
【請求項１】
インクジェットインクを調合するためのマゼンタ染料ブレンドであって、
（ａ）ニッケル発色団含有アゾ染料と混合された
（ｂ）ローダミン染料
を含み、前記ニッケル発色団含有アゾ染料対ローダミン染料の重量比が、１：８０〜１２５：４であり、前記ニッケル発色団含有アゾ染料が、ニッケルと下記式の染料分子からなり且つニッケル対染料分子の比が１：１、１：２又は２：２である、マゼンタ染料ブレンド。
【化１】
0004659743.tif 000009
式中、Ｒ１はＮ又はＣ、Ｒ２、Ｒ３、Ｒ４、Ｒ５及びＲ６はＣＮ、ＣＯＯＭ、ＳＯ３Ｍ、Ｈ又はＳＯ２ＮＨ２であり、ＭはＨ、Ｎａ、Ｌｉ、Ｋ、ＮＨ４、アルキルで置換されたアンモニウム、又はそれらの組合せである。
【請求項２】
有効量のインクビヒクルと混ぜ合わされた、請求項１に記載のマゼンタ染料ブレンド。
【請求項３】
前記ニッケル発色団含有アゾ染料が、ニッケル金属化ナフトールアゾトリアゾールを含む、請求項１又は２に記載のマゼンタ染料ブレンド。
【請求項４】
前記ニッケル発色団含有アゾ染料が、下記構造を含む染料を含み、
【化２】
0004659743.tif 000010
式中、Ｍは、Ｈ又は一価イオンである、請求項１又は２に記載のマゼンタ染料ブレンド。
【請求項５】
前記ローダミン染料が、Ａｃｉｄ  Ｒｅｄ  ５２、Ａｃｉｄ  Ｒｅｄ  ２８９、Ａｃｉｄ  Ｒｅｄ  ３８８、及びそれらの混合物から成る群から選択される成分を含む、請求項１又は２に記載のマゼンタ染料ブレンド。
【請求項６】
前記ニッケル発色団含有アゾ染料が、単一のニッケル発色団を含有するアゾ染料である、請求項１又は２に記載のマゼンタ染料ブレンド。
【請求項７】
前記ニッケル発色団含有アゾ染料が、一緒に混合された少なくとも２つのニッケル発色団を含有するアゾ染料である、請求項１又は２に記載のマゼンタ染料ブレンド。
【請求項８】
前記ローダミン染料が、単一のローダミン染料である、請求項１又は２に記載のマゼンタ染料ブレンド。
【請求項９】
前記ローダミン染料が、一緒に混合された少なくとも２つのローダミン染料である、請求項１又は２に記載のマゼンタ染料ブレンド。
【請求項１０】
前記インクビヒクルが、５．０ｗｔ％〜５０．０ｗｔ％の溶媒、０．０１ｗｔ％〜１０．０ｗｔ％の界面活性剤、及び水を含んで成る、請求項２に記載のマゼンタ染料ブレンド。
【発明の詳細な説明】
【技術分野】
【０００１】
本発明は、インクジェット画像形成の分野に関する。より詳細には、本発明は、マゼンタ−シアン−イエローインクセットに用い得るマゼンタインクジェットインクに関する。
【背景技術】
【０００２】
一般に、インクジェットインクは、染料系若しくは顔料系インクのいずれかである。両方とも、典型的には、染料及び／又は顔料を含むインクビヒクルとして調製される。染料系インクジェットインクでは、一般に、媒体を特定の色に変えるのに、通常は、水溶性である液体着色剤が用いられる。一方、顔料系インクでは、典型的に、色を得るのに、固体の、即ち分散された着色剤が用いられる。
【０００３】
染料含有インクのカラー特性は、印刷されたインクジェット画像の品質に重要な役割を果たす。感知されるカラー品質は、当分野で周知のＣＩＥＬＡＢ又はＭｕｎｓｅｌｌのような、幾つかの色空間の何れか１つを用いて表すことができる。Ｍｕｎｓｅｌｌ色空間に関しては、所与の色は、３つの用語、即ち、色相、色値、及び彩度を用いて定義される。ＣＩＥＬＡＢ色空間に関しては、色は、３つの語、即ちＬ＊、ａ＊、及びｂ＊を用いて定義される。この系では、Ｌ＊は、色の明度を定義し、０〜１００（１００は白色である）の範囲にある。さらに、語ａ＊及びｂ＊は共に、色相を定義し、この場合、ａ＊は、負の数（グリーン）から正の数（レッド）の範囲にあり、そしてｂ＊は、負の数（ブルー）から正の数（イエロー）の範囲にある。当業者に周知のように、所与の色をさらに記述するのに、ｈ°（色相角）及びＣ＊（彩度）のような代替用語を用いることもできる。
【０００４】
それらの色の鮮やかさを保持しつつ、インクジェット生成された写真の耐久性を改善する必要がある。それによってインクジェット生成された画像が不運にも経時的に変色し得るところの劣化メカニズムが幾つかある。写真は、光や大気ガスの作用で、又は大気中の微量の不純物によって褪色することがある。他の劣化メカニズムは、湿り変色を起こす湿度に起因するものである。以前の解法は、単一のインクに多数の染料を用いて、その１つの染料が十分な耐光性をもたらし、そして他が良好な彩度をもたらすようにするものであった。従来技術における前述のシステムは、膨潤性写真媒体上において、明るい彩度と中程度の耐光性を有する画像をもたらしていた。十分な耐湿性と大気耐性をもたらすが、耐光性が比較的劣っていたり、又はその逆の特性をもたらす、二者択一的な、単一の明るさの染料が用いられてきた。
【発明の開示】
【発明が解決しようとする課題】
【０００５】
従って、改善された特性を有し且つ他の特性をさほど犠牲にすることなく或る特性を改善するインク調合物を開発するための研究が続けられている。ペンの性能及び信頼性を犠牲にすることなく、インクジェット印刷の画像品質及び耐光性をさらに改善するためには、依然として多くの問題が残されている。
【０００６】
良好な色域、耐光性、大気耐性、及び彩度を呈する染料セット並びにインクジェットインクセットにそれぞれ用いられるマゼンタ染料ブレンド及びマゼンタインクジェットインクを開発することが有益であろうと考えられる。それ故、これらの基準を満足するマゼンタ染料ブレンド及びマゼンタインクジェットインクを提供する。
【課題を解決するための手段】
【０００７】
一実施形態では、インクジェットインクを調合するためのマゼンタ染料ブレンドは、ローダミン染料と混合されたニッケル含有アゾ染料を含むことができる。ニッケル含有アゾ染料対ローダミン染料の重量比は、１：８０〜１２５：４とすることができる。
【０００８】
あるいはまた、インクジェット印刷用のマゼンタインクジェットインクは、有効量のインクビヒクルと、当該インクビヒクルと混ぜ合わされた０．９〜１０．５ｗｔ％のマゼンタ染料ブレンドとから構成することができる。重ねて、マゼンタ染料ブレンドは、ニッケル含有アゾ染料とローダミン染料とを１：８０〜１２５：４の重量比にて含むことができる。
【０００９】
本発明のその他の特徴及び利点は、例示目的で本発明の特徴を記載する詳細な説明から明らかになろう。
【発明を実施するための最良の形態】
【００１０】
本発明を開示、記述するにあたり、本発明が、ここに開示するある程度変更し得る特定の処理ステップ並びに材料に限定されないことを理解されたい。また、ここで用いる用語は、特定の実施形態を専ら記述するだけの目的で用いるものであることも理解されたい。本発明の範囲は、添付の特許請求の範囲及びその等価物によってのみ限定されるものとする故、当該用語に、限定の意はない。
【００１１】
本明細書並びに添付の特許請求の範囲において用いるとき、単数形「ａ」、「ａｎ」、及び「ｔｈｅ」は、別途明確に指示のない限り、複数形の意味を包含することに留意されたい。
【００１２】
本明細書では、濃度、量、及びその他の数値データを範囲形式で提示する場合がある。そのような範囲形式は、便利且つ簡潔なために用いるものであって、従って、範囲の限界として明記した数値を含むだけでなく、各数値及び副範囲があたかも明記されているかのようにその範囲内に包含される個別の数値又は副範囲を全て包含するものと柔軟に解釈すべきことを理解されたい。例を示せば、「約０．１ｗｔ％〜約５ｗｔ％」という濃度範囲は、約０．１ｗｔ％〜約５ｗｔ％という明記された濃度を含むだけではなくて、表示された範囲内の個別の濃度及び副範囲を包含するものと解釈すべきである。従って、この数値範囲には、１ｗｔ％、２ｗｔ％、３ｗｔ％、及び４ｗｔ％のような個別の濃度と、０．１ｗｔ％〜１．５ｗｔ％、１ｗｔ％〜３ｗｔ％、２ｗｔ％〜４ｗｔ％、３ｗｔ％〜５ｗｔ％、等のような副範囲が含まれる。同じ原理が、１つの数値のみを挙げる範囲にも適用される。例えば、「約５ｗｔ％未満」として挙げられた範囲は、０ｗｔ％〜５ｗｔ％の全ての値及び副範囲を含むものと解釈すべきである。さらに、そのような解釈は、範囲の幅や記述する特性に関係なく適用されるべきである。
【００１３】
ここで用いるとき、「有効量」とは、所望の効果を達成するのに十分である、物質や薬剤の少なくとも最小の量を指す。例えば、「インクビヒクル」の有効量とは、効果的なインク噴射に必要な諸性質を維持しつつ、インク組成物を作るのに必要となる少なくとも最小の量である。
【００１４】
ここで用いるとき、「液体ビヒクル」又は「インクビヒクル」は、インクを形成するために着色剤をその中に入れるところの液体流体を指す。インクビヒクルは当分野において周知であり、様々なインクビヒクルを本発明のシステム及び方法に用いることができる。当該インクビヒクルは、界面活性剤、溶媒、共溶媒、緩衝剤、殺生物剤、金属イオン封止剤、粘度修正剤、表面活性剤、水等をはじめとする、様々な各種薬剤の混合物を含むことができる。
【００１５】
他の用語と共に用いるとき、用語「実質的に」は、ほとんど乃至完全にを含むものとする。
【００１６】
このことを明記して、本発明は、インクジェット画像の領域に関する。より詳細には、本発明は、インクジェット画像用のマゼンタ染料ブレンド及びマゼンタインクジェットインクに関する。
【００１７】
インクジェットインクを調合するためのマゼンタ染料ブレンドは、ローダミン染料と混ぜ合わされたニッケル含有アゾ染料を含むことができる。ニッケル含有アゾ染料対ローダミン染料の重量比は、１：８０〜１２５：４とすることができる。
【００１８】
加えて、インクジェット印刷用のマゼンタインクジェットインクは、有効量のインクビヒクルと、そのインクビヒクルと混ぜ合わされた０．９〜１０．５ｗｔ％のマゼンタ染料ブレンドとから構成することができる。インクジェットインクのマゼンタ染料ブレンドは、ニッケル含有アゾ染料とローダミン染料とを１：８０〜１２５：４の重量比にて含むことができる。
【００１９】
染料ブレンド若しくはインクジェットインクに関連して、ニッケル含有アゾ染料は、上述の基準を満足する任意の機能的染料とし得る。限定の意はないが、具体例は、以下の式１の構造を有する染料である。
【００２０】
【化２】
0004659743.tif 000002
【００２１】
上述の染料において、ニッケル対染料分子の比は、１：１、１：２又は２：２とすることができる。Ｒ１は、Ｎ又はＣとし得る。さらに、Ｒ２、Ｒ３、Ｒ４、Ｒ５及びＲ６は、ＣＮ、ＣＯＯＭ、ＳＯ３Ｍ、Ｈ及びＳＯ２ＮＨ２とし得る。Ｍは、Ｈ、Ｎａ、Ｌｉ、Ｋ、ＮＨ４、アルキルで置換されたアンモニウム、又はそれらの組合せとし得る。ニッケル含有アゾ染料は、単一のニッケル含有アゾ染料であるか、又は一緒に混ぜ合わされた２つ以上のニッケル−含有アゾ染料とし得る。
【００２２】
上式１の好ましい一実施形態は、１：２のニッケル対染料比を有し且つ以下に示されている式２である。
【００２３】
【化３】
0004659743.tif 000003
【００２４】
さらに、式２において、Ｒ１はＣであり、Ｒ２及びＲ３はＣＮであり、Ｒ５はＳＯ３Ｍであり、そしてＲ４及びＲ６はＨである。
【００２５】
式１の他の好ましい実施形態は、１：１のニッケル対染料比を有し且つ以下に示されている式３である。
【００２６】
【化４】
0004659743.tif 000004
【００２７】
さらに、式３において、Ｒ１はＮであり、Ｒ２はＨであり、Ｒ３はＣＯＯＨであり、Ｒ４はＳＯ３であり、Ｒ５はＨであり、Ｒ６はＳＯ３である。
【００２８】
染料ブレンド又はインクジェットインクに関しては、任意の機能的ローダミン染料を用いることができる。ローダミン染料は、単一のローダミン染料であるか、又は一緒に混ぜ合わされた２つ以上のローダミン染料とし得る。限定はしないが、例として、Ａｃｉｄ  Ｒｅｄ  ５２、Ａｃｉｄ  Ｒｅｄ  ２８９、Ａｃｉｄ  Ｒｅｄ  ３８８、及びそれらの混合物が挙げられる。
【００２９】
当該染料ブレンドは、ＤＥＳＫＪＥＴ（商標）及びヒューレット−パッカード社で製造された他の類似プリンタのような市販のインクジェットプリンタにおいて用い得るマゼンタインクジェットインクを調合するのに用いることができる。一実施形態では、当該染料ブレンドを用いてマゼンタインクジェットインクを調合する場合、マゼンタインクジェットインク中にローダミン染料は０．１ｗｔ％〜２．５ｗｔ％にて存在でき、そしてマゼンタインクジェットインク中にニッケル含有アゾ染料は０．８ｗｔ％〜８ｗｔ％にて存在できる。これらの及びその他のマゼンタインクジェットインクは、未被覆媒体、粘土被覆媒体、無機多孔質媒体、及びゼラチン被覆媒体をはじめとする各種の媒体上で、それぞれ耐光性及び色域の改善された、真の色を生成すべく、３、４、５又は６ペンのインクセットに用いることができる。
【００３０】
上記の及び以後の実施形態は、単に、幾つかの例を説明するために単に提供したもおであることに留意されたい。当業者であれば、本発明の範囲内にある諸々の修正が理解されよう。
【００３１】
本発明の染料セットと共に用い得る典型的なインクビヒクル調合物は、全部で５．０ｗｔ％〜５０．０ｗｔ％存在する１つ又は複数の溶媒若しくは共溶媒と、全部で０．０１ｗｔ％〜１０．０ｗｔ％存在する１つ又は複数の非イオン性、陽イオン性、及び／又は陰イオン性界面活性剤を含むことができる。当該調合物の残部は、純水であるか、及び／又は殺生物剤、粘度修正剤、ｐＨ調節用材料、金属イオン封鎖剤、防腐剤等のような、当分野で既知の他のビヒクル成分とし得る。
【００３２】
用い得る溶媒若しくは共溶媒の種類としては、脂肪族アルコール、芳香族アルコール、ジオール、グリコールエーテル、ポリグリコールエーテル、カプロラクタム、ホルムアミド、アセトアミド、及び長鎖アルコールを挙げることができる。当該化合物の例としては、第一脂肪族アルコール、第二脂肪族アルコール、１，２−アルコール、１，３−アルコール、１，５−アルコール、エチレングリコールアルキルエーテル、プロピレングリコールアルキルエーテル、ポリエチレングリコールアルキルエーテルの高次の同族体、Ｎ−アルキルカプロラクタム、未置換カプロラクタム、置換及び未置換の両ホルムアミド、置換及び未置換の両アセトアミド等が挙げられる。用い得る溶媒の具体例には、トリメチロールプロパン、２−ピロリジノン、及び１，５−ペンタンジオールが含まれる。
【００３３】
インク調合の当業者には周知のように、多くの界面活性剤の１つ又は複数を用いることもでき、それらとしては、アルキルポリエチレンオキシド、アルキルフェニルポリエチレンオキシド、ポリエチレンオキシドブロック共重合体、アセチレンポリエチレンオキシド、ポリエチレンオキシド（ジ）エステル、ポリエチレンオキシドアミン、プロトン化ポリエチレンオキシドアミン、プロトン化ポリエチレンオキシドアミド、ジメチコンコポリオール、置換アミンオキシド等とし得る。本発明の調合物に添加される界面活性剤の量は、０．０１ｗｔ％〜１０．０ｗｔ％の範囲とし得る。
【００３４】
本発明の調合物と共に、その他の種々の添加剤を用いて特定の用途に使えるようにインク組成物の諸性質を最適化することもできる。これらの添加剤の例は、有害微生物の成長を阻害するのに添加されるものである。これらの添加剤には、インク調合物に日常的に用いられる殺生物剤、殺菌剤、及びその他の微生物剤を用いることができる。適切な微生物剤の例としては、限定はしないが、Ｎｕｏｓｅｐｔ（ヌデックス社（Ｎｕｄｅｘ，Ｉｎｃ．））、Ｕｃａｒｃｉｄｅ（ユニオンカーバイド社（Ｕｎｉｏｎ  ｃａｒｂｉｄｅ  Ｃｏｒｐ．））、Ｖａｎｃｉｄｅ（Ｒ．Ｔ．ヴァンダービルト社（Ｒ．Ｔ．Ｖａｎｄｅｒｂｉｌｔ  Ｃｏ．））、Ｐｒｏｘｅｌ（アイシーアイ アメリカ（ＩＣＩ  Ａｍｅｒｉｃａ）社）、及びそれらの組合せが挙げられる。
【００３５】
重金属不純物の有害な影響を排除するために、ＥＤＴＡ（エチレンジアミン四酢酸）のような金属イオン封鎖剤を含有させることもでき、インクのｐＨを制御するために緩衝剤溶液を用いることもできる。例えば、０．００１ｗｔ％〜２．０ｗｔ％にて用いることができる。インクの諸性質を望み通りに変性するために、当業者に周知の他の添加剤同様、粘度調節剤及び緩衝剤を含有させることができる。そのような添加剤は、０．０１ｗｔ％〜２０ｗｔ％にて存在させ得る。
【００３６】
種々のインクビヒクル成分の重量パーセント範囲を提示しているが、これは、特定の成分が必須の要素であることを意図するものではない。換言すれば、所与の重量パーセント範囲は、その成分が存在する場合、その重量パーセント範囲を用いることができるということを意味する。
実施例
以下の実施例において、現在最もよく知られている本発明の実施形態を説明する。ここで、以下は、本発明の原理の応用についての単なる例示又は説明に過ぎないことを理解されたい。当業者であれば、本発明の趣旨及び範囲から逸脱することなく、多数の修正及び代替組成物、方法、並びにシステムを案出できよう。添付の特許請求の範囲は、前述の修正並びに変更を網羅すべく意図されている。従って、特定のものに関して本発明をこれまで説明してきたが、以下の実施例は、本発明の最も実用的且つ好ましい実施形態であると現在思われるものに関しさらに詳述するものである。
【実施例１】
【００３７】
インクジェットインクビヒクル
本発明のマゼンタ染料ブレンドと共に良く機能し得る２つのインクジェットインクビヒクルを調合した。これらのインクビヒクルは、本発明の実施形態に従ってインクジェットインクを形成するのに用いることができる。しかしながら、これらのインクビヒクルは、使用し得る唯一のインクビヒクルではない。下の表１ａ及び表１ｂは、インクビヒクルの２つの許容例を示す。
【００３８】
【表１ａ】
0004659743.tif 000005
【００３９】
【表１ｂ】
0004659743.tif 000006
【実施例２】
【００４０】
比較用に調製したしたマゼンタインクジェットインク
上の表１ｂに提示したインクビヒクルと混合されたＭ７を除き、上の表１ａに提示したインクビヒクルを用いて８つのマゼンタインクジェットインク（Ｍ１〜Ｍ８）を調製した。ヒューレット−パッカード社の販売するＨＰ９７０Ｃプリンタに用いられるマゼンタインクには、表２において用いるニッケル含有アゾ染料はどれも含まれていない。詳細には、Ｍ２、Ｍ３、Ｍ５、Ｍ６、及びＭ７は、本発明の実施形態に従い、ローダミン染料と混合されたニッケル含有アゾ染料を含むインクを表す。ニッケル含有アゾ染料のみを含むＭ１とＭ４、及びアゾ染料と混合されたＨ酸染料（ローダミン染料の代わり）を含むＭ８を含むその他のインクは、比較目的で調製したものである。用いたＨ酸染料は、ＣＰ１１６０ＨＰカラーインクジェットプリンタに使用されるものと同じ染料である。調製したインクジェットインクを下表２に示す。
【００４１】
【表２】
0004659743.tif 000007
【実施例３】
【００４２】
耐光性、大気耐性、及び彩度の比較
調製した８つのインクジェットインクを互いに、並びにヒューレット−パッカード社製のＨＰ９７０Ｃプリンタに付されて販売されている最新のマゼンタインクと比較した。さらに、比較の目的で、耐光性のベンチマークとしてＫｏｄａｋ  Ｅｄｇｅ  ８  Ａｇｘを使用した。使用した膨潤性媒体は、ＨＰ  Ｐｒｅｍｉｕｍ  Ｐｌｕｓ  Ｐｈｏｔｏ紙であった。使用した多孔質媒体は、ＨＰ  Ｐｈｏｔｏ紙であった。当該比較の実施後得られたデータを下表３に示す。
【００４３】
【表３】
0004659743.tif 000008
【００４４】
耐光性についての「劣化に至る年数」は、“Ｔｈｅ  Ｐｅｒｍａｎｅｎｃｅ  ａｎｄ  Ｃａｒｅ  ｏｆ  Ｃｏｌｏｒ  Ｐｈｏｔｏｇｒａｐｈｓ”ｂｙ  Ｈｅｎｒｙ  Ｗｉｌｈｅｌｍ，Ｐｒｅｓｅｒｖａｔｉｏｎ  Ｐｕｂｌｉｓｈｉｎｇ  Ｃｏ．，Ｇｒｉｎｅｌｌ，Ｉｏｗａに記載されているＷｉｌｈｅｌｍの手順を用いて試験した。当該インクを光学濃度０．５にて印刷し、次いでＡｔｌａｓ  ＨＰＵＶ褪色試験機を用いて、７０キロルクスの強度の白色蛍光光線に曝した。用紙のバックグラウンドについて補正するために、倍率１．５によるバックグラウンド補正を導入した。劣化に至るまでの時間は、１２時間日（ｈｏｕｒ  ｄａｙ）当り４５０ルクスの露光、即ち、１年当たり１９７１キロルクス−時間という仮定に基づいて推定した。劣化に至る時間は、２５％の光学濃度損失が観測された時間として定めた。
【００４５】
大気耐性についての「劣化に至る日数」は、米国オレゴン州コーバリスの大気を用い、それを印刷されたカラーパレット上に吹き付け、そして画像の褪色を（上述の耐光性に用いたような）Ｗｉｌｈｅｌｍの劣化基準を用いて時間の経過と共に監視して、決定した。劣化に至る時間（時間単位）は、２５％の光学濃度損失が観測された時間として定めた。
【００４６】
サンプル全てを並べて試験した。空気流増大による加速因子は導入せず、従って、劣化に至る時間は、絶対測定値ではなく相対的なものとみなされる。
【００４７】
上表３から分かるように、ニッケル含有アゾ染料単独（Ｍ１及びＭ４）は、十分な耐光性と大気耐性を有するが、ＨＰ９７０Ｃベンチマークと比較したとき十分な明るさでない。ＨＰ９７０マゼンタは、彩度に対するベンチマークとして十分作用する明るさはあるものの、膨潤性媒体上での耐光性及び多孔質媒体上での大気耐性については望まれるものより低い。逆に、その全てがローダミン染料と混合されたニッケル含有アゾ染料を含んでいるインクＭ２、Ｍ３、Ｍ５、Ｍ６、及びＭ７は、ベンチマークＨＰ９７０Ｃより良好な彩度をもたらすと共に、著しく優れた膨潤性媒体上での耐光性及び多孔質媒体上での大気耐性をもたらした。インクＭ７だけが耐光性ベンチマークＫｏｄａｋ  Ｅｄｇｅ  ８  ＡｇＸより低い性能であったが、インクＭ７は、耐光性に関しては、依然としてＨＰ９７０Ｃマゼンタインクを上回る改善を示した。ニッケル含有アゾ染料と混合されたＨ酸染料を含有しているインクＭ８は、耐光性に関しては劣った性能を示した。
【００４８】
特定の好ましい実施形態を参照して本発明を説明してきたが、本発明の趣旨から逸脱することなく、様々な修正、変更、省略、及び置換を成し得ることは、当業者には明らかであろう。例えば、実施例１に使用するために特定のビヒクルを示したが、その他のビヒクルも用いることができる。加えて、代替用途用として、本発明のインクセットにその他のインクを用いることができる。それ故、本発明は添付の特許請求の範囲によってのみ限定されるものとする。